(57)【要約】  本発明は、車両内の運転者に情報を表示するための装置であって、前記情報（９，１０，１１）は画像を含む装置に関し、前記車両のフロア（８）上に配置されたテキスタイル材料によって前記情報（９，１０，１１）を表示すること、及び表示する前記情報は前記車両の外の状況であり、前記車両の外で前記状況が発生した方向に前記情報を表示することを特徴とする。本発明の効果は、情報が他の情報を使用しない情報手段によって車両の運転者に表示されることである。【選択図】図１
2015523275.tif 000002
【特許請求の範囲】
【請求項１】
車両内の運転者に情報を表示するための装置であって、前記情報（９，１０，１１）は画像を含む装置において、前記車両のフロア（８）上に配置されたテキスタイル材料によって前記情報（９，１０，１１）を表示すること、及び表示する前記情報は前記車両の外の状況であり、前記車両の外で前記状況が発生した方向に前記情報を表示することを特徴とする、装置。
【請求項２】
表示する前記情報は道路の温度を示すものであることを特徴とする、請求項１に記載の装置。
【請求項３】
表示する前記情報は前記車両の外気温度を示すものであることを特徴とする、請求項１に記載の装置。
【請求項４】
前記情報は実際の温度に応じて表示されることを特徴とする、請求項１乃至３のいずれかに記載の装置。
【請求項５】
前記情報は色（９）として表示されることを特徴とする、請求項１乃至４のいずれかに記載の装置。
【請求項６】
前記情報は模様（１０）として表示されることを特徴とする、請求項１乃至４のいずれかに記載の装置。
【請求項７】
表示する前記情報は前記車両の下の路面標識ラインを示すものであることを特徴とする、請求項１に記載の装置。
【請求項８】
前記情報はライン（１１）として表示されることを特徴とする、請求項７に記載の装置。
【請求項９】
請求項１乃至８のいずれかに記載の装置を含む車両。
【発明の詳細な説明】
【技術分野】
【０００１】
本発明は、請求項１に記載の車両内で情報を表示するための装置に関する。本装置は、車両の外の状況に関する情報を車両の運転者に示すのに適している。
【背景技術】
【０００２】
現代の車両には、運転者に事件や事象を知らせるように構成された複数の情報及び警告システムが設けられている場合が多い。情報システムは、運転者に重大な情報も重要でない情報も与えるように構成され、警告システムは、事故を避けるために、特定の事象が起きている又は起きようとしている時に運転者に警告を与えるように構成される。情報システムは、インストルメント・クラスタ、ラジオ・ディスプレイ、ナビゲーションシステム、及びその他のシステムを含む。警告システムは、死角検知、バック警告、駐車支援、ライン検知などを含む。情報システム及び警告システムは、視野スクリーン及び／又は警告灯等、同じ又は異なる表示装置を使用することができる。
【０００３】
様々なシステムによって様々な情報及び警告が与えられることの１つの問題点は、情報及び警告の重要性に関して必ずしも優先されているとは限らないことである。従って、与えられた全ての情報及び警告に運転者が気付いたり注意したりすることが難しくなる可能性がある。このことは、通常は通常の情報に利用される表示手段によって与えられた警告に特に当てはまる。
【０００４】
特許文献１は、光源を含む房状テキスタイルに関し、この光源は房状テキスタイルを少なくとも部分的に介して光源から光を放射するように配設されており、この房状テキスタイルはカーペットであってよい。
【０００５】
特許文献２は、車両用の発光マットを開示している。発光マットは透明装飾プレートを備えており、この透明装飾プレートは、カーペットの開口の形状に対応する装飾模様を有し、装飾プレートの下に設置された光源によってこの模様を点灯することができるようになっている。
【０００６】
特許文献３は、発光する車両用の内装ライニングを開示している。このライニングは、織りテキスタイルシートとして形成され、成形品の上に設けられた平面光源の前に配置される。
【０００７】
これらのテキスタイルは、照明目的で使用してもよい。
【０００８】
従って、車両用の改良型情報表示装置が必要である。
【先行技術文献】
【特許文献】
【０００９】
【特許文献１】米国特許出願公開第２０１０／２６５７３１号明細書
【特許文献２】国際公開第２００６／０５７５３１号
【特許文献３】独国特許出願公開第１０２００６０１２６０６号明細書
【発明の概要】
【発明が解決しようとする課題】
【００１０】
従って、本発明の目的は、車両の外である状況が発生した方向に情報を表示する、車両用の改良型情報表示装置を提供することである。
【課題を解決するための手段】
【００１１】
本発明による問題の解決法は、請求項１の特徴部分に記載されている。その他の請求項は、本発明の装置の有利な更なる発展形態を含んでいる。
【００１２】
車両内の運転者に画像を含む情報を表示するための装置では、車両のフロア上に配置されたテキスタイル材料によって情報を表示すること、及び表示する情報は車両の外の状況であり、車両の外でその状況が発生した方向にその情報を表示することで問題が解決される。
【００１３】
情報表示装置のこの第１の実施形態によると、本装置は車両の外の状況を示す情報を運転者に表示し、その状況が発生した方向にその情報が表示される。このように、この情報は、他の情報にも利用されることが多い車両の通常の情報手段を使用していない。従って、運転者は、表示した情報により直感的に気付くことができるようになる。更に、情報の表示に利用されない領域が使用されるので、その情報が他の情報と混ざることがなくなる。
【００１４】
本発明の装置の一例では、テキスタイル材料が車両のフロア上に配置される。このテキスタイル材料は運転者側のフロア上に配置してもよく、或いは、運転室のフロント部の全体、運転席側及び助手席側の両方に配置してもよい。
【００１５】
表示する情報は、好ましくは車両の下で発生した様々な状況、例えば、車両が走行する道路に関する状況である。そのような状況の１つは、例えば、道路の温度である。温度が凍結寸前である場合、通常はインストルメント・クラスタで低温警告が与えられる。本発明の装置では、フロア上のテキスタイルによって低温警告を与えることもできる。そのような警告は、例えば、低温を示す色で（例えば、淡青色を用いることにより）テキスタイルを点灯することによって与えてもよい。また、テキスタイルで雪片を表示し、それによって運転者に低温警告を与えることも可能となる。
【００１６】
フロア上に表示することが有効となり得る他の情報は、路面標識ラインに関する警告である。例えば、車線変更で路面標識ラインを車両が通過すると、車両の下の路面標識ラインの場所を示すラインをフロア上に表示することが可能となる。このように、運転者は道路上の車両の場所に関する情報を受け取ることになる。車線変更が意図的でない場合、フロア上に表示したラインを点滅させることが好ましい。
【図面の簡単な説明】
【００１７】
以下において、添付図面を参照して本発明をより詳細に説明する。
【図１】第１の実施例の本発明の装置を有するトラックの運転室の概略図を示す。
【図２】更なる実施例の本発明の装置を有するトラックの運転室の例示的概略図を示す。
【図３】更なる実施例の本発明の装置を有するトラックの運転室の概略図を示す。
【発明を実施するための形態】
【００１８】
以下において説明する更なる発展形態を備えた本発明の実施形態は、単なる実施例として考えるべきであり、特許請求の範囲によって示される保護の範囲を決して限定するものではない。本装置はあらゆる種類の車両に適しているが、トラックを用いて本装置を例証する。
【００１９】
図１は、第１の実施例の本発明の装置を備えたトラックの運転室の概略図を示す。運転室１は、インストルメント・クラスタ３を備えたインストルメント・パネル２と、ドアパネル４と、ステアリングホイール５と、変速レバー６と、座席７と、フロアマット８とを備えている。更に、運転者の脚が示されている。フロアマット８は、情報画像を表示することができるテキスタイル、いわゆるスマートテキスタイルからなっている。従って、情報９，１０，１１は、車両のフロア上に表示される。
【００２０】
既知のスマートテキスタイルには様々な種類がある。１つの種類は、熱の発生を伴わずに電気エネルギーを光に変換するエレクトロルミネッセンス材料（ＥＬ）に基づくものである。エレクトロルミネッセンスは、材料が強電界への電流の通過に応じて発光する光学及び電気現象である。励起された電子がそれらのエネルギーを光子、即ち、光として放出する。ＥＬワイヤは発光コンデンサである。容量性構造は、２つの導電性電極の間に挟まれた発光エレクトロルミネッセンス半導体層によって構築される。ＥＬパネルは、基本的にＥＬワイヤと同じ材料だが形状は平板である。エレクトロルミネッセンスパネルは、紙のように薄く柔軟且つ軽量であり、様々な色の物があり、減光又は点滅することができる。一部のＥＬワイヤは、与えられた電流に応じて１つの色から別の色へと（例えば、緑色から青色へと）変化することができる。このワイヤは紫外線抵抗性もある。このワイヤは、熱は放出しない。
【００２１】
もう１つの種類はフォトニックテキスタイルとして知られており、照明システムを含むファブリックであるため、ディスプレイとして機能することができる。これは、多色発光ダイオード（例えば、ＯＬＥＤ）のフレキシブルアレイをファブリックに一体化させること、また布の柔らかさを損なわずにそうすることによって行われる。
【００２２】
現在のフォトニックテキスタイルは、ＬＥＤ等の標準構成要素と導電糸をテキスタイルの内部に一体化させること、或いは、テキスタイル構造へと直接一体化させることが可能な繊維形状因子（例えば、フォトルミネッセンスポリマー被覆繊維、表面又は側面発光繊維、若しくはサーモクロミックインクでコーティングした糸）を用いて光電子デバイスを開発することのいずれかに基づいている。
【００２３】
ＯＬＥＤの利点は、テキスタイルで用いられることが多いＬＥＤと比較して、より広い表面積にわたって均質光を放射することである。更に、設計者からのフィードバックによると、ＯＬＥＤによって可能になったフォトニックシステムは、追加のテキスタイル光拡散層で覆わなければならないＬＥＤベースの強化テキスタイルと比べて芸術的により美しい。フォトルミネッセンス、サーモクロミック、又は光学繊維から加工されたテキスタイル等の他の繊維ベースのフォトニックシステムと比較して、ＯＬＥＤはより高い光強度を有する。そして最後に、ＯＬＥＤは軽量でもあり、平坦な形状因子を有し、ポリマーフォイル基板上に加工された場合は柔軟性を保つことができる。
【００２４】
車両のフロア上でスマートテキスタイルを使用することで、スマートテキスタイルによって運転者に情報を表示することができる。図１では、フロアマット８は、特定の事象が発生した時に特定の色を表示するように構成されたスマートテキスタイルからなっている。この実施例では、情報が特定色９としてフロアマット表面全体に表示される。
【００２５】
そのような事象の１つは、道路の温度であってよい。温度が凍結寸前である場合、低温を示す色で（例えば、淡青色を用いることにより）テキスタイルを点灯することによって低温状態を示すことができる。更に、実際の外気温度に応じて、又は道路の実際の温度によって色の強度を変化させて、例えば温度が６℃では光を暗くしたり、例えば２℃では最大強度で光を点灯させたりするようにすることが可能である。使用するスマートテキスタイルの種類に応じて、白色等の他の色を用いて低温を示すこともできる。
【００２６】
図２では、低温警告の別の実施例を示す。ここでは、情報がスマートテキスタイルによってフロア上に雪片１０として表示され、それが運転者に低温警告を与えることにもなる。雪片の彩度を実際の外気温度によって変化させてもよく、或いは、雪片の寸法を実際の温度によって変化させてもよい。また、実際の外気温度に応じて雪片の色が変化するようにすることも可能である。
【００２７】
図３では、本発明の装置によって表示された情報の更なる実施例を示す。この実施例では、路面標識ラインに関する情報が表示されている。この情報は、好ましくはフロア上にライン１１として表示され、好ましくは車両の下の道路上の路面標識ラインの実際の位置の場所に関するものである。このように、例えば、車線変更の間に、路面標識ラインを車両が通過すると、運転者は路面標識ラインの正確な場所の情報を受け取ることになる。車線変更が意図的でない場合、例えば、運転者が方向指示器を使用せずに路面標識ラインを通過した場合、運転者に警告を与えるために、フロア上に表示したラインを点滅させることが可能である。
【００２８】
本発明は上記の実施形態に限定されるものと考えるべきではなく、特許請求の範囲の技術的範囲内で多数の更なる変形例及び修正例が可能である。
【図１】
2015523275.tif 000003
【図２】
2015523275.tif 000004
【図３】
2015523275.tif 000005
【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
車両内の運転者に情報を表示するための装置であって、前記情報（９，１０，１１）は画像を含む装置において、前記車両のフロア（８）上に配置されたテキスタイル材料によって前記情報（９，１０，１１）を表示すること、及び表示する前記情報は前記車両の外の状況であり、運転者に対して前記車両の外で前記状況が発生した方向に前記情報を表示し、前記情報が前記テキスタイル材料によって発せられることを特徴とする、装置。
【請求項２】
表示する前記情報は道路の温度を示すものであることを特徴とする、請求項１に記載の装置。
【請求項３】
表示する前記情報は前記車両の外気温度を示すものであることを特徴とする、請求項１に記載の装置。
【請求項４】
前記情報は実際の温度に応じて表示されることを特徴とする、請求項１乃至３のいずれかに記載の装置。
【請求項５】
前記情報は色（９）として表示されることを特徴とする、請求項１乃至４のいずれかに記載の装置。
【請求項６】
前記情報は模様（１０）として表示されることを特徴とする、請求項１乃至４のいずれかに記載の装置。
【請求項７】
表示する前記情報は前記車両の下の路面標識ラインを示すものであることを特徴とする、請求項１に記載の装置。
【請求項８】
前記情報はライン（１１）として表示されることを特徴とする、請求項７に記載の装置。
【請求項９】
請求項１乃至８のいずれかに記載の装置を含む車両。
【国際調査報告】
2015523275.tif 000006
2015523275.tif 000007
2015523275.tif 000008
2015523275.tif 000009